【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
印刷機（２７１５、２７３０）を使用してライトフィールドプリント（４２０、５０１、３４０２、４５０３）を製造する方法であって、
少なくとも一部は少なくとも１つのキャリブレーションパターンを印刷することによって前記印刷機（２７１５、２７３０）の少なくとも１つの特性を識別するステップと、
前記ライトフィールドプリント（４２０、５０１、３４０２、４５０３）を使用してレンダリングされるべきコンテンツを取得するステップであって、前記コンテンツは複数のシーンビューを含む、ステップと、
少なくとも一部は前記コンテンツおよび前記印刷機（２７１５、２７３０）の前記少なくとも１つの特性に基づき、複数の計算済みパターンを生成するステップと、
前記印刷機（２７１５、２７３０）を使用して、１つまたは複数の基板（２７０２、２７０８、３４０３、４１０１、４１０４、４３４３、４４０３）上に前記複数の計算済みパターンを印刷するステップと、を含む方法。
【請求項２】
前記複数の計算済みパターンを生成するステップは、少なくとも一部は前記コンテンツおよび前記印刷機（２７１５、２７３０）の前記少なくとも１つの特性に基づき、フロントターゲットパターンとバックターゲットパターンとを生成するステップを含み、
前記印刷機（２７１５、２７３０）を使用して、１つまたは複数の基板（２７０２、２７０８、３４０３、４１０１、４１０４、４３４３、４４０３）上に前記複数の計算済みパターンを印刷するステップは、前記印刷機（２７１５、２７３０）を使用して、
基板（２７０２、２７０８、３４０３、４１０１、４１０４、４３０３、４４０３）の第１の面に前記フロントターゲットパターンを印刷し、
前記基板（２７０２、２７０８、３４０３、４１０１、４１０４、４３０３、４４０３）の第２の面に前記バックターゲットパターンを印刷するステップを含む、請求項１に記載の方法。
【請求項３】
少なくとも一部は前記少なくとも１つのキャリブレーションパターンを印刷することによって前記印刷機（２７１５、２７３０）の前記少なくとも１つの特性を識別するステップは、前記基板（２７０２、２７０８、３４０３、４１０１、４１０４、４３０３、４４０３）に沿った少なくとも１つの方向の達成可能なレジスタリング精度、前記印刷機（２７１５、２７３０）のアライメントの程度、前記基板（２７０２、２７０８、３４０３、４１０１、４１０４、４３０３、４４０３）に沿った少なくとも１つの方向の最小線幅、インクが載っていない状態の前記基板（２７０２、２７０８、３４０３、４１０１、４１０４、４３０３、４４０３）のスペクトル減衰、前記基板（２７０２、２７０８、３４０３、４１０１、４１０４、４３０３、４４０３）に載っているインクのスペクトル減衰、前記基板（２７０２、２７０８、３４０３、４１０１、４１０４、４３０３、４４０３）に載っているインクの組合せのスペクトル減衰、およびドットゲインからなる群から選択される少なくとも１つの特性を識別するステップを含む請求項１または２に記載の方法。
【請求項４】
前記印刷機（２７１５、２７３０）の解像度、前記印刷機（２７１５、２７３０）に関連付けられているプレートセッターの解像度、前記基板（２７０２、２７０８、３４０３、４１０１、４１０４、４３０３、４４０３）の厚さ、前記基板（２７０２、２７０８、３４０３、４１０１、４１０４、４３０３、４４０３）の屈折率、および前記印刷機（２７１５、２７３０）のフレキソ印刷歪み率からなる群から選択される少なくとも１つの特性を識別するステップをさらに含む請求項３または請求項１もしくは２のいずれか一項に記載の方法。
【請求項５】
識別する前記ステップは、
前記少なくとも１つのキャリブレーションパターンの印刷されたバージョンを使用して前記印刷機（２７１５、２７３０）の少なくとも１つの色チャネルに対するドットゲインを示す１つまたは複数の値を識別するステップを含む請求項１または請求項２から４のいずれか一項に記載の方法。
【請求項６】
前記少なくとも１つのキャリブレーションパターンは、前記印刷機（２７１５、２７３０）の複数の異なる色チャネルの各々に対する配向されたライン掃引のセットを含み、
識別する前記ステップは、前記印刷機（２７１５、２７３０）によって印刷された配向されたライン掃引の前記セットの前記印刷されたバージョンを使用して前記印刷機（２７１５、２７３０）の前記色チャネルの各々に対するドットゲインを識別するステップを含む請求項５または請求項１から４のいずれか一項に記載の方法。
【請求項７】
前記少なくとも１つのキャリブレーションパターンは、前記印刷機（２７１５、２７３０）の第１の色チャネルに対する配向されたライン掃引の第１のセットを含み、配向されたライン掃引の前記第１のセットは、第１の間隔を有するラインの第１のパッチと、前記第１の間隔と異なる第２の間隔を有するラインの第２のパッチとを含み、好適には、
前記少なくとも１つのキャリブレーションパターンは、前記印刷機（２７１５、２７３０）の第２の色チャネルに対する配向されたライン掃引の第２のセットを含み、
配向されたライン掃引の前記第２のセットは、前記第１の間隔を有するラインの第３のパッチと、前記第２の間隔を有するラインの第４のパッチとを含み、または
配向されたライン掃引の前記第１のセットは、ウェブ方向に沿って配向されたラインの少なくとも１つのパッチと、前記ウェブ方向を横断する形で配向されたラインの少なくとも１つのパッチとを含む請求項６または請求項１から５のいずれか一項に記載の方法。
【請求項８】
識別する前記ステップは、
前記印刷機（２７１５、２７３０）によって印刷された前記少なくとも１つのキャリブレーションパターンの印刷されたバージョンを使用して前記印刷機（２７１５、２７３０）のアライメントの程度を識別するステップを含み、好適には、
前記少なくとも１つのキャリブレーションパターンは、前記印刷機（２７１５、２７３０）のフロント−バックミスアライメントを指示するように設計された少なくとも１つのアライメントマークを含むか、または、
前記印刷機（２７１５、２７３０）のアライメントの前記識別された程度を使用して前記印刷機（２７１５、２７３０）のアライメントを行うステップをさらに含む請求項１または請求項２から７のいずれか一項に記載の方法。
【請求項９】
前記印刷機（２７１５、２７３０）は、フレキソ印刷機（２７１５、２７３０）であり、前記方法は、
前記印刷機（２７１５、２７３０）に対するフレキソ印刷歪み率を識別するステップをさらに含み、
前記フロントおよびバックターゲットパターンを生成するステップは、前記識別されたフレキソ印刷歪み率にさらに基づき実行される請求項２から８のいずれか一項に記載の方法。
【請求項１０】
生成する前記ステップは、
初期フロントおよびバックパターンを生成するステップと、
前記初期フロントおよびバックパターンのうちの少なくとも１つを繰り返し更新して前記フロントおよびバックパターンを取得するステップとを含む請求項２から９のいずれか一項に記載の方法。
【請求項１１】
複数のシーンビューを含むコンテンツを取得するステップは、前記ライトフィールドプリントの観察者の位置のそれぞれのセットに対応するシーンビューのセットを取得するステップを含む請求項１または請求項２から１０のいずれか一項に記載の方法。
【請求項１２】
前記印刷機（２７１５、２７３０）は、アナログ印刷機（２７１５、２７３０）であり、
前記印刷機（２７１５、２７３０）は、フレキソ印刷機（２７１５、２７３０）またはオフセット印刷機（２７１５、２７３０）であり、好適には
前記印刷機（２７１５、２７３０）は、ＳＩＭＵＬＴＡＮプレスである請求項１または請求項２から１１のいずれか一項に記載の方法。
【請求項１３】
前記複数の計算済みパターンを生成するステップは、少なくとも一部は前記コンテンツおよび前記印刷機（２７１５、２７３０）の前記少なくとも１つの特性に基づき、フロントターゲットパターンとバックターゲットパターンとを生成するステップを含み、
前記印刷機（２７１５、２７３０）を使用して、基板（２７０２、２７０８、３４０３、４１０１、４１０４、４３４３、４４０３）上に前記複数の計算済みパターンを印刷するステップは、前記印刷機（２７１５、２７３０）を使用して、
第１の基板（２７０２、２７０８、３４０３、４１０１、４１０４、４３０３、４４０３）の面に前記フロントターゲットパターンを印刷し、
第２の基板（２７０２、２７０８、３４０３、４１０１、４１０４、４３０３、４４０３）の面に前記バックターゲットパターンを印刷するステップを含み、
前記第１の基板（２７０２、２７０８、３４０３、４１０１、４１０４、４３０３、４４０３）および前記第２の基板（２７０２、２７０８、３４０３、４１０１、４１０４、４３０３、４４０３）は、異なる基板（２７０２、２７０８、３４０３、４１０１、４１０４、４３４３、４４０３）である請求項１または請求項２から１２のいずれか一項に記載の方法。
【請求項１４】
システムであって、
少なくとも１つのコンピュータハードウェアプロセッサと、
プロセッサ実行可能命令を記憶する少なくとも１つの非一時的コンピュータ可読記憶媒体であって、前記少なくとも１つのコンピュータハードウェアプロセッサによって実行されたときに、前記少なくとも１つのコンピュータハードウェアプロセッサに、請求項１から１３のいずれか一項に記載の方法の動作を実行させる、プロセッサ実行可能命令を記憶する少なくとも１つの非一時的コンピュータ可読記憶媒体とを備えるシステム。
【請求項１５】
プロセッサ実行可能命令を記憶する少なくとも１つの非一時的コンピュータ可読記憶媒体であって、少なくとも１つのコンピュータハードウェアプロセッサによって実行されたときに、前記少なくとも１つのコンピュータハードウェアプロセッサに、請求項１から１３のいずれか一項に記載の方法の動作を実行させる、プロセッサ実行可能命令を記憶する少なくとも１つの非一時的コンピュータ可読記憶媒体。